(57)【要約】本発明は呼吸用エアフィルターに関するものである。ハーフマスクとフィルター部材とを有するフィルター装置が公知である。この種のフィルター装置は高いコストをかけて設計されている。そこで本発明の課題は、できるだけ簡単に構成されていて安価に製造できる呼吸用エアフィルターを提供することにある。この課題は、空気透過性の外装（１１）と、この外装（１１）の中に配置され、活性炭を含んでいる少なくとも１つのフィルター層（１２、１２’）とを備える呼吸用エアフィルター（１０）によって解決される。この呼吸用エアフィルターは非常に簡素であり、安価な材料で構成されている。人間の鼻と口が十分に覆われるだけの大きさがあればよいので、非常にコンパクトで扱いやすい。価格が安くサイズが小さいので、ティッシュペーパーやチューインガムと同じように、誰でもどこへでも持ち運ぶことができ、したがっていつでも使用準備が整っている。
2004535279.tif 000002
【特許請求の範囲】
【請求項１】
呼吸用エアフィルター（１０）において、
空気透過性の外装（１１）と、
この外装（１１）の中に配置され、活性炭を含んでいる少なくとも１つのフィルター層（１２、１２’）とを備える、呼吸用エアフィルター。
【請求項２】
外装（１１）が不織布でできていることを特徴とする、請求項１に記載の呼吸用エアフィルター。
【請求項３】
不織布がポリプロピレン繊維から製造されていることを特徴とする、請求項２に記載の呼吸用エアフィルター。
【請求項４】
不織布がスパンボンド不織布であることを特徴とする、請求項２または３に記載の呼吸用エアフィルター。
【請求項５】
不織布が溶融紡糸によって製造されることを特徴とする、請求項４に記載の呼吸用エアフィルター。
【請求項６】
外装（１１）が３０〜４０ｇ／ｍ２、特に３５ｇ／ｍ２の単位面積当り重量を有していることを特徴とする、前記請求項のうちいずれか１項に記載の呼吸用エアフィルター。
【請求項７】
外装（１１）が静電気で帯電していることを特徴とする、前記請求項のうちいずれか１項に記載の呼吸用エアフィルター。
【請求項８】
少なくとも１つのフィルター層（１２）が不織布でできていることを特徴とする、前記請求項のうちいずれか１項に記載の呼吸用エアフィルター。
【請求項９】
不織布からなる各々のフィルター層（１２）が１７０〜２１０ｇ／ｍ２、特に１９０ｇ／ｍ２の単位面積当り重量を有していることを特徴とする、請求項８に記載の呼吸用エアフィルター。
【請求項１０】
少なくとも１つのフィルター層（１２’）が、相互に結合された活性炭粒状体を有していることを特徴とする、前記請求項のうちいずれか１項に記載の呼吸用エアフィルター。
【請求項１１】
活性炭粒状体が接着剤によって相互に結合されていることを特徴とする、請求項１０に記載の呼吸用エアフィルター。
【請求項１２】
前記接着剤がウレタンフォームであることを特徴とする、請求項１１に記載の呼吸用エアフィルター。
【請求項１３】
相互に結合された活性炭粒状体を備える各々のフィルター層（１２’）が２５０〜２７００ｇ／ｍ２、主として１４００〜１８００ｇ／ｍ２、特に１５００〜１７００ｇ／ｍ２、とりわけ１６００ｇ／ｍ２の単位面積当り重量を有していることを特徴とする、請求項１０〜１２までのいずれか１項に記載の呼吸用エアフィルター。
【請求項１４】
活性炭の割合が７０〜９０重量％、主として７５〜８５重量％、特に８０重量％であり、接着剤の割合が１０〜３０重量％、主として１５〜２５重量％、特に２０重量％であることを特徴とする、請求項１０〜１３までのいずれか１項に記載の呼吸用エアフィルター。
【請求項１５】
少なくとも１つのフィルター層（１２’）が、マトリクス材料と、これと結合された活性炭粒状体とを有していることを特徴とする、前記請求項のうちいずれか１項に記載の呼吸用エアフィルター。
【請求項１６】
マトリクス材料がウレタンフォームであることを特徴とする、請求項１５に記載の呼吸用エアフィルター。
【請求項１７】
活性炭粒状体が接着剤によってマトリクス材料と結合されていることを特徴とする、請求項１５または１６に記載の呼吸用エアフィルター。
【請求項１８】
接着剤がアクリレート接着剤であることを特徴とする、請求項１７に記載の呼吸用エアフィルター。
【請求項１９】
マトリクス材料と結合された活性炭粒状体を備える各々のフィルター層（１２’）が２５０〜２７００ｇ／ｍ２、主として１４００〜１８００ｇ／ｍ２、特に１５００〜１７００ｇ／ｍ２、とりわけ１６００ｇ／ｍ２の単位面積当り重量を有していることを特徴とする、請求項１５〜１８までのいずれか１項に記載の呼吸用エアフィルター。
【請求項２０】
活性炭の割合が７０〜９０重量％、主として７５〜８５重量％、特に８０重量％であり、マトリクス材料と接着剤を合わせた割合が１０〜３０重量％、主として１５〜２５重量％、特に２０重量％であることを特徴とする、請求項１５〜１９までのいずれか１項に記載の呼吸用エアフィルター。
【請求項２１】
粒状体が顆粒および／または結晶であることを特徴とする、請求項１０〜２０までのいずれか１項に記載の呼吸用エアフィルター。
【請求項２２】
粒状体が０．０１〜１．０ｍｍ、有利には０．１〜０．５ｍｍの粒度を有していることを特徴とする、請求項１０〜２１までのいずれか１項に記載の呼吸用エアフィルター。
【請求項２３】
活性炭が酸素および／またはオゾンを帯びていることを特徴とする、前記請求項のうちいずれか１項に記載の呼吸用エアフィルター。
【請求項２４】
少なくとも１つのフィルター層（１２、１２’）が、一酸化炭素を濾過する手段を有していることを特徴とする、前記請求項のうちいずれか１項に記載の呼吸用エアフィルター。
【請求項２５】
前記手段が一酸化炭素を酸化して二酸化炭素にすることを特徴とする、請求項２４に記載の呼吸用エアフィルター。
【請求項２６】
前記手段が少なくとも１つのホプカライトを含んでいることを特徴とする、請求項２５に記載の呼吸用エアフィルター。
【請求項２７】
少なくとも２つのフィルター層（１２，１２’）が互いに上下して配置され、それぞれ隣接する２つのフィルター層（１２、１２’）の間に空気透過性の分離層（１３）が介在していることを特徴とする、前記請求項のうちいずれか１項に記載の呼吸用エアフィルター。
【請求項２８】
各々の分離層（１３）が不織布でできていることを特徴とする、請求項２７に記載の呼吸用エアフィルター。
【請求項２９】
不織布がポリエステル繊維から製造されていることを特徴とする、請求項２８に記載の呼吸用エアフィルター。
【請求項３０】
不織布が穴のあいたスパンレース不織布であることを特徴とする、請求項２８または２９に記載の呼吸用エアフィルター。
【請求項３１】
各々の分離層（１３）が３５〜６５ｇ／ｍ２、特に５０ｇ／ｍ２の単位面積当り重量を有していることを特徴とする、請求項２８〜３０までのいずれか１項に記載の呼吸用エアフィルター。
【請求項３２】
外装（１１）が気密な包装（１４）に包まれていることを特徴とする、前記請求項のうちいずれか１項に記載の呼吸用エアフィルター。
【発明の詳細な説明】
【技術分野】
【０００１】
本発明は、吸気エアフィルターに関するものである。
【背景技術】
【０００２】
従来技術では、ハーフマスクと、これに結合されたフィルター部材とを有するフィルター装置が公知である。必要に応じて、あらかじめフィルター部材を通ってマスクに流れ込んだ空気しか吸い込むことがないように、人はハーフマスクを鼻と口に装着する。このような種類のフィルター装置は比較的高いコストをかけて設計されており、安価な大量生産には適していない。
【発明の開示】
【発明が解決しようとする課題】
【０００３】
本発明の課題は、できるだけ簡素に構成されていて安価に製造できる呼吸用エアフィルターを提供することである。
【課題を解決するための手段】
【０００４】
この課題は、次のものを備える呼吸用エアフィルターによって解決される：
−  空気透過性の外装と、
−  外装の中に配置され、活性炭を含んでいる少なくとも１つのフィルター層。
【０００５】
この呼吸用エアフィルターは非常に簡素であり、安価な材料で構成されているので、大量生産用として格別に適している。しかも、人間の鼻と口が十分に覆われるだけの大きさがあればよいので、非常にコンパクトで扱いやすい。価格が安くサイズが小さいので、ティッシュペーパーやチューインガムと同じように、誰でもどこへでも持ち運ぶことができ、したがっていつでも使用準備が整っている。たとえば、乗用車のグローブボックスに、同乗者の分として十分な個数を問題なく備え付けておくことができるので、トンネル火災が発生したとき、中毒にかかるのを、生死を分けるかもしれない時間だけ先に延ばすことができるかもしれない。
【０００６】
フィルター層に含まれる活性炭は、吸入される空気に含まれる有毒ガスを、吸着によって少なくとも部分的に取り除くガスフィルターとしての役目をする。
【０００７】
本発明のその他の特徴と構成は、請求項に記載されている。
【０００８】
外装は不織布でできていることが意図されていてよい。外装にはそれ以外の繊維生地、たとえばフェルト、編物、織物、ニットなどを使用することもできるが、これらに比べて不織布ははるかに安価に製造することができる。
【０００９】
この場合、不織布がポリプロピレン繊維から製造されることが意図されていてよい。このようなポリプレピレン繊維は、格別に簡単かつ恒久的に、静電気を帯電させることができる。このことは従来技術で一般に周知であるので、詳しい説明は割愛する。
【００１０】
さらにこの場合、不織布が、たとえば従来技術ではメルトブローン法とも呼ばれる溶融紡糸によって製造することができるスパンボンド不織布であることが意図されていてよい。
【００１１】
さらにこの場合、外装は、３０〜４０ｇ／ｍ２、特に３５ｇ／ｍ２の、重量密度とも呼ばれる単位面積当り重量を有することが意図されていてよい。
【００１２】
さらに、外装が静電気を帯電していることが意図されていてよい。外装が静電気で帯電されているので、外装は、たとえば煤粒子、埃、煙、噴霧などの粒子を格別によく引きつけることができる。したがって外装が粒子フィルターとしての役目をする。
【００１３】
さらに、少なくとも１つのフィルター層が不織布でできていることが意図されていてよい。この場合も別の繊維生地を使うことができるが、不織布は価格が安いので優先される。
【００１４】
この場合、不織布からなる各々のフィルター層は１７０〜２１０ｇ／ｍ２、特に１９０ｇ／ｍ２の単位面積当り重量を有することが意図されていてよい。
【００１５】
さらに、少なくとも１つのフィルター層が、相互に結合された活性炭粒状体を有することが意図されていてよい。
【００１６】
この場合、活性炭粒状体が接着剤によって相互に結合されることが意図されていてよい。そうすれば、このような種類のフィルター層は、単位面積当り重量が１０００〜１３００ｇ／ｍ２、特に１２６５ｇ／ｍ２の軽い活性炭と、単位面積当り重量がわずか３００〜４００ｇ／ｍ２、特に３３５ｇ／ｍ２の接着剤とを有することができるので、有利な場合には活性炭の占める割合がほぼ７９重量％になり、従来の活性炭フィルターマットの場合より明らかに高くなる。
【００１７】
接着剤は、有利には連続気泡をもつウレタンフォームであってよい。あるいは接着剤として、これ以外の材料を使用することもできる。
【００１８】
さらに、相互に結合された活性炭粒状体を備える各々のフィルター層が、２５０〜２７００ｇ／ｍ２、主として１４００〜１８００ｇ／ｍ２、特に１５００〜１７００ｇ／ｍ２、とりわけ１６００ｇ／ｍ２の単位面積当り重量を有することが意図されていてよい。
【００１９】
さらに、活性炭の割合が７０〜９０重量％、主として７５〜８５重量％、特に８０重量％であり、接着剤の割合が１０〜３０重量％、主として１５〜２５重量％、特に２０重量％であることが意図されていてよい。
【００２０】
さらに、少なくとも１つのフィルター層が、マトリクス材料と、これと結合された活性炭粒状体とを有していることが意図されていてよい。
【００２１】
この場合、マトリクス材料は、有利には連続気泡ウレタンフォームおよび／または網状ウレタンフォームであることが意図されていてよい。あるいはマトリクス材料として、これ以外の材料を用いることもできる。
【００２２】
さらにこの場合、活性炭が接着剤によってマトリクス材料と結合されることが意図されていてよい。接着剤はアクリレート接着剤であってよい。あるいは接着剤として、これ以外の材料を用いることもできる。このような種類のフィルター層は、単位面積当り重量が１０００〜１３００ｇ／ｍ２、特に１２６５ｇ／ｍ２の軽い活性炭と、単位面積当り重量がわずか３００〜４００ｇ／ｍ２、特に３３５ｇ／ｍ２のマトリクス材料と接着剤の合計を有することができるので、有利な場合には活性炭の占める割合がほぼ７９重量％となり、従来の活性炭フィルターマットの場合よりも明らかに高くなる。
【００２３】
さらに、マトリクス材料と結合された活性炭粒状体を備える各々のフィルター層が２５０〜２７００ｇ／ｍ２、主として１４００〜１８００ｇ／ｍ２、特に１５００〜１７００ｇ／ｍ２、とりわけ１６００ｇ／ｍ２の単位面積当り重量を有することが意図されていてよい。
【００２４】
さらに、活性炭の割合が７０〜９０重量％、主として７５〜８５重量％、特に８０重量％であり、マトリクス材料と接着剤の合計の割合が１０〜３０重量％、主として１５〜２５重量％、特に２０重量％であることが意図されていてよい。
【００２５】
さらに、粒状体が顆粒および／または結晶であることが意図されていてよい。このとき、グラニュール粒とも呼ばれる顆粒はそれぞれ粉末粒子からなる非対称な集合物であり、たとえば完全な結晶もしくは結晶剥離片である。
【００２６】
さらに、粒状体が０．０１〜１．０ｍｍ、特に０．１〜０．５ｍｍの粒度を有することが意図されていてよい。
【００２７】
さらに、活性炭が酸素および／またはオゾンを帯びていることが意図されていてよい。この目的のために、呼吸用エアフィルターを有利には気密に包装する前に、所望の気体量を吸着するまで活性炭を相応の気体に触れさせる。このことは、たとえば、組立の完了した呼吸用エアフィルターを、相応の気体雰囲気の中に保管することによって行うことができる。呼吸用エアフィルターの使用時には、酸素および／またはオゾンを帯びた活性炭が、フィルター層を通って流れる吸気にこれらを放出するので、吸気が吸い込まれる前に酸素および／またはオゾンが豊富になる。このようにして、呼吸用エアフィルターが酸素源としての役目も果たす。
【００２８】
さらに、少なくとも１つのフィルター層が、一酸化炭素を濾過する手段を有していることが意図されていてよい。
【００２９】
さらにこの場合、前記手段が一酸化炭素を酸化して二酸化炭素にすることが意図されていてよい。この手段は、少なくとも１つのホプカライトを含んでいてよい。ホプカライトは、たとえば６０％のＭｎＯ２と４０％のＣｕＯ、または５０％のＭｎＯ２、３０％のＣｕＯ、１５％の酸化コバルト、および５％のＡｇ２Ｏでできていてよい。
【００３０】
さらに、少なくとも２つのフィルター層が互いに上下して配置されており、それぞれ隣接する２つのフィルター層の間に空気透過性の分離層が介在することが意図されていてよい。フィルター性能はフィルター層の数に伴って向上するので、浄化されるべき吸気は、吸い込まれる前に、できるだけ多くのフィルター層を通過して流れるのが望ましい。残念ながら、フィルター層の数が増えるにつれて流動抵抗も増えてしまうが、前記の場合には、フィルター層が直接積み重なっているフィルター層の積層に比べて、流動抵抗を分離層によって明らかに減らすことができる。
【００３１】
この場合、各々の分離層が不織布でできていることが意図されていてよい。この場合にも、別の繊維生地を使用することができるが、不織布は価格が低いので優先される。
【００３２】
さらに、不織布がポリエステル繊維から製作されることが意図されていてよい。
【００３３】
さらにこの場合、不織布が穴のあいたスパンレース不織布であり、すなわち、たとえばニードルパンチ、ステッチボンド、ウォータージェットを利用した渦巻きなどによって機械的に強化され、穴パターンを有している不織布であることが意図されていてよい。このような種類の穴のあいたスパンレース不織布は従来技術から公知なので、ここではこれ以上詳しく説明しない。
【００３４】
さらにこの場合、各々の分離層が３５〜６５ｇ／ｍ２、特に５０ｇ／ｍ２の単位面積当り重量を有することが意図されていてよい。
【００３５】
さらに、外装が気密性の包装に包まれていることが意図されていてよい。
【発明を実施するための最良の形態】
【００３６】
次に、添付の図面を参照しながら有利な実施例について詳しく説明する。
【００３７】
図１には、第１実施形態の呼吸用エアフィルター１０が示されている。この呼吸用エアフィルターは、空気透過性の外装１１と、４つのフィルター層１２と、３つの空気透過性の分離層１３とを有している。
【００３８】
外装１１は、ポリプロピレン繊維から溶融紡糸によって製作されたスパンボンド不織布でできている。この不織布は恒久的に静電気で帯電しており、３０〜４０ｇ／ｍ２、主として３５ｇ／ｍ２の単位面積当り重量を有している。
【００３９】
各々のフィルター層１２は、幅が５〜９ｃｍ、主として７ｃｍ、長さが９〜１３ｃｍ、主として１１ｃｍ、厚さが１〜３ｍｍ、主として２ｍｍであり、単位面積当り重量が１７０〜２１０ｇ／ｍ２、主として１９０ｇ／ｍ２である、長方形をした一片の不織布でできている。フィルター繊維１２の不織布は、一方では粒子フィルターとしての役目を果たし、また他方では、ガスフィルターとしての役目をする活性炭の支持体としての役目を果たす。このような種類の活性炭フィルターマットの製造は従来技術から公知なので、ここではこれ以上詳しくは説明しない。
【００４０】
各々の分離層１３は、幅および長さがフィルター層１２と実質的に同じであり、厚さが０．５〜１．５ｍｍ、主として１．０ｍｍ、単位面積当り重量が３５〜６５ｇ／ｍ２、主として５０ｇ／ｍ２である、長方形をした一片のスパンレース不織布でできている。この不織布はポリエステル繊維で製作されており、穴パターンを有している。
【００４１】
４つのフィルター層１２と３つの分離層１３は、それぞれ２つの隣接するフィルター層１２の間に１つの分離層１３が介在する直方体の積層をなすように、交互に相上下して配置されている。この積層が外装１１によって取り囲まれており、さらに外装は包装フィルム１４に気密に包まれている。
【００４２】
必要に応じて人は包装フィルムを破り、呼吸用エアフィルター１０を取り出す。図２に示すように、これを手の上に載せ、指と手の間で横辺のところを軽く圧縮して、手と反対を向いているほうの面が若干凹面状に湾曲するようにする。そして呼吸用エアフィルター１０の凹面状になっている面を、同時に口と鼻を覆うように、顔に押し当てる。そして息を吸い込むと、空気は指の間から呼吸用エアフィルター１０へと流れ、さらに呼吸用エアフィルターを通り抜けて口および／または鼻に流入する。
【００４３】
図３には、呼吸用エアフィルター１０が第２実施形態で示されている。この第２実施形態が図１の第１実施形態と違っているのは、４つのフィルター層１２と３つの分離層１３に代えて、外装１１の中に１つのフィルター層１２’しか設けられておらず、このフィルター層１２’は、第１案では、ウレタンフォームによって相互に結合された活性炭粒状体でできていることである。
【００４４】
第２案では、フィルター層１２’は、たとえば連続気泡ウレタンフォームであってよいマトリクス材料と、アクリレート接着剤でマトリクス材料と結合された活性炭粒状体とでできていてもよい。
【００４５】
本発明による呼吸用エアフィルター１０は安価、コンパクト、かつ簡単に利用可能である。したがって、ティッシュペーパーのパッケージのように、誰でもいつでもどこへでも問題なく持ち運ぶことができ、たとえば自動車のグローブボックスやホテル客室のナイトテーブルなどに備え付けておくことができる。
【図面の簡単な説明】
【００４６】
【図１】気密に包装された第１実施形態の呼吸用エアフィルターを示す断面図である。
【図２】手のひらに持った図１の呼吸用エアフィルターを示す平面図である。
【図３】気密に包装された第２実施形態の呼吸用エアフィルターを示す断面図である。
【符号の説明】
【００４７】
１０  呼吸用エアフィルター
１１  外装
１２，１２’  フィルター層
１３  分離層
１４  包装フィルム
【国際公開パンフレット】
2004535279.tif 000003
2004535279.tif 000004
2004535279.tif 000005
2004535279.tif 000006
2004535279.tif 000007
2004535279.tif 000008
2004535279.tif 000009
2004535279.tif 000010
2004535279.tif 000011
2004535279.tif 000012
2004535279.tif 000013
2004535279.tif 000014
2004535279.tif 000015
2004535279.tif 000016
2004535279.tif 000017
【国際公開パンフレット（コレクトバージョン）】
2004535279.tif 000018
2004535279.tif 000019
【国際調査報告】
2004535279.tif 000020
2004535279.tif 000021
2004535279.tif 000022
2004535279.tif 000023
2004535279.tif 000024
2004535279.tif 000025
2004535279.tif 000026
2004535279.tif 000027
2004535279.tif 000028
2004535279.tif 000029